(57)【要約】 【課題】木造建築物において上階の発生音をさらに合理的なコストでかつ十分な程度に遮音する。【解決手段】本発明に係る二重床用支持脚１は、基板２と、該基板とほぼ平行に離間配置される天板３と、基板２と天板３との間に介装される４つの脚部材４とから構成してあり、該二重床用支持脚を用いて構成した本実施形態に係る二重床構造１１は、二重床用支持脚１の基板２を、その裏面１２が木質系材料で構成された床躯体１３の上面に当接されるように該床躯体に配置するとともに、天板３の表面１４に床下地材１５を載置して構成してある。【選択図】  図２
2018017077.tif 000002
【特許請求の範囲】
【請求項１】
床躯体の上面に裏面が当接された状態で該床躯体に配置されるようになっている基板と、該基板とほぼ平行に配置され表面に床下地材が載置されるようになっている天板と、弾性材料で構成され前記基板と前記天板との間に介装される脚部材とからなり、該脚部材を、基端側で前記天板の裏面に取付け自在な脚部本体とその先端側に設けられ前記基板の表面に当接されるようになっている凸部とで構成するとともに、該凸部を、その横断面積が前記脚部本体の横断面積よりも小さくなるように構成したことを特徴とする二重床用支持脚。
【請求項２】
前記脚部本体を円柱状に構成してその一方の側を前記基端側、他方の側を前記先端側とし、該基端側に前記天板に設けられた取付け孔に嵌着される差込部を突設するとともに、該先端側に凸面が球冠状に形成された突起を設けて前記凸部とした請求項１記載の二重床用支持脚。
【請求項３】
基板と、該基板とほぼ平行に配置される天板と、弾性材料で構成され前記基板と前記天板との間に介装される脚部材とからなり、該脚部材を、基端側で前記天板の裏面に取付け自在な脚部本体とその先端側に設けられ前記基板の表面に当接されるようになっている凸部とで構成するとともに、該凸部を、その横断面積が前記脚部本体の横断面積よりも小さくなるように構成してなる二重床用支持脚を用いた二重床構造であって、
前記基板を、その裏面が床躯体の上面に当接されるように該床躯体に配置するとともに、前記天板の表面に床下地材を載置したことを特徴とする二重床構造。
【請求項４】
前記基板及び前記天板を平面形状がほぼ正方形となるようにかつ互いに同一寸法となるようにそれぞれ構成するとともに、前記基板及び前記天板を、それらの平面位置が互いに同一となるようにかつそれらの対角線が前記床下地材の短手縁部及び長手縁部とそれぞれ平行になるように前記床躯体に配置した請求項３記載の二重床構造。
【請求項５】
弾性材料からなるＬ形断面のスペーサーが根太本体の下面と側面に当接されるように貼着されてなる際根太を、前記スペーサーの側部が壁側となるように前記床躯体上であって前記床下地材が敷き並べられる室内領域の周縁相当位置に配置するとともに、前記際根太の上面に前記床下地材の縁部を載置した請求項４記載の二重床構造。
【請求項６】
基板と、該基板とほぼ平行に配置される天板と、弾性材料で構成され前記基板と前記天板との間に介装される脚部材とからなり、該脚部材を、基端側で前記天板の裏面に取付け自在な脚部本体とその先端側に設けられ前記基板の表面に当接されるようになっている凸部とで構成するとともに、該凸部を、その横断面積が前記脚部本体の横断面積よりも小さくなるように構成し、前記基板及び前記天板を平面形状がほぼ正方形となるようにかつ互いに同一寸法となるようにそれぞれ構成してなる二重床用支持脚を用いた二重床構造の構築方法であって、
配置予定の床下地材の短手縁部及び長手縁部と平面位置が一致するように、床躯体に２本の基準線を墨出しし、
前記二重床用支持脚を複数組で構成するとともに、該複数組の二重床用支持脚を構成する各基板を、それらの裏面が前記床躯体の上面に当接されるようにかつ該各基板の４つの隅部が前記２本の基準線にそれぞれ一致するように所定ピッチで該床躯体に釘留め又はビス留めでそれぞれ固定し、
前記各天板をそれらの裏面に前記脚部材がそれぞれ先付けされた状態で前記各凸部が前記各基板の表面にそれぞれ当接されるようにかつ平面位置が前記各基板と同一となるように該各基板上に配置し、
前記床下地材を、それらの短手縁部及び長手縁部が前記２本の基準線に一致するように前記各天板の表面に載置し、
前記床下地材に床仕上げ材を積層することを特徴とする二重床構造の構築方法。
【発明の詳細な説明】
【技術分野】
【０００１】
本発明は、木造建築物、特に木造戸建て住宅や木造小規模事務所に適した二重床用支持脚及びそれを用いた二重床構造並びにその構築方法に関する。
【背景技術】
【０００２】
マンションに代表される集合住宅では、カーペット敷きよりも衛生面に優れたフローリング仕上げが一般的となって久しいが、フローリング仕上げでは、上階で生じた床衝撃音に対する下階への遮音対策が重要となり、建築指針では、軽量衝撃源でＬ−４５、重量衝撃源でＬ−５０の遮音性能が推奨されている（「建築物の遮音性能基準と設計指針」、日本建築学会）。
【０００３】
最近では、居住快適性に対するニーズとも相俟って、ますます高い遮音性能が要求されるようになっており、厚さ２００ｍｍを越える鉄筋コンクリートスラブ（以下、ＲＣスラブ）の上に二重床を構築する仕様が標準的になりつつある。
【０００４】
かかる二重床をＲＣスラブ上に構築するにあたっては、ＲＣスラブの上に平面２方向に沿って所定ピッチで支持脚を配置した上、該支持脚にパーティクルボード等のパネル材を載せ、次いで、該パネル材に床下地とフローリング材を順次敷設するとともに、ＲＣスラブとパネル材との隙間に吸音材を配置するのが一般的である。
【０００５】
一方、木造建築物においては、木質系材料の密度がコンクリートよりもはるかに小さいため、遮音性能を高めることが本来的に難しいものの、例えば梁が下階に露出するあらわし梁のように、上階での衝撃音が直接下階に伝播することが懸念される場合、上階床に対して適切な遮音対策を施すことが望まれるようになってきた。
【先行技術文献】
【特許文献】
【０００６】
【特許文献１】特許第５５５４６３３号公報
【発明の概要】
【発明が解決しようとする課題】
【０００７】
ところが、ＲＣ集合住宅に用いられる支持脚は、剛性の高いＲＣスラブ上に配置される関係上、該ＲＣスラブから配置ピッチや配置場所について制約を受けない代わりに、専用のパネル材を用いる関係上、各方向の配置ピッチが例えば４５５ｍｍと６００ｍｍに制約される。
【０００８】
そのため、床梁が９１０ｍｍピッチで架け渡されることが多い木造建築物に転用した場合、該床梁のピッチが支持脚のピッチと一致せず、その結果、床梁に架け渡された床躯体の強度が不足したり、床躯体の撓みが大きくなって遮音性が低下するといったさまざまな不具合を生じる。
【０００９】
加えて、昨今の木造建築物では、工場でプレカットされた柱や梁を用いるため、不陸調整がほとんど不要であって、不陸を吸収すべく高さ調整自在に構成されたＲＣスラブ用の支持脚ではオーバースペックになりかねない。
【００１０】
かかる状況下、本出願人は、木造建築物用の二重床用支持脚を別途開発し（特許文献１）、上階の発生音を合理的なコストでかつ十分な程度に遮音することに成功した。
【００１１】
しかしながら、上記二重床用支持脚を用いて十分な遮音性を確保するには、該二重床用支持脚が設置される床躯体を、剛床パネルと２枚の硬質石膏ボードとからなる三層構造とせねばならず、経済性の観点では必ずしも十分ではないという問題を生じていた。
【課題を解決するための手段】
【００１２】
本発明は、上述した事情を考慮してなされたもので、木造建築物において上階の発生音をさらに合理的なコストでかつ十分な程度に遮音することが可能な二重床用支持脚及びそれを用いた二重床構造並びにその構築方法を提供することを目的とする。
【００１３】
上記目的を達成するため、本発明に係る二重床用支持脚は請求項１に記載したように、床躯体の上面に裏面が当接された状態で該床躯体に配置されるようになっている基板と、該基板とほぼ平行に配置され表面に床下地材が載置されるようになっている天板と、弾性材料で構成され前記基板と前記天板との間に介装される脚部材とからなり、該脚部材を、基端側で前記天板の裏面に取付け自在な脚部本体とその先端側に設けられ前記基板の表面に当接されるようになっている凸部とで構成するとともに、該凸部を、その横断面積が前記脚部本体の横断面積よりも小さくなるように構成したものである。
【００１４】
また、本発明に係る二重床用支持脚は、前記脚部本体を円柱状に構成してその一方の側を前記基端側、他方の側を前記先端側とし、該基端側に前記天板に設けられた取付け孔に嵌着される差込部を突設するとともに、該先端側に凸面が球冠状に形成された突起を設けて前記凸部としたものである。
【００１５】
また、本発明に係る二重床構造は請求項３に記載したように、基板と、該基板とほぼ平行に配置される天板と、弾性材料で構成され前記基板と前記天板との間に介装される脚部材とからなり、該脚部材を、基端側で前記天板の裏面に取付け自在な脚部本体とその先端側に設けられ前記基板の表面に当接されるようになっている凸部とで構成するとともに、該凸部を、その横断面積が前記脚部本体の横断面積よりも小さくなるように構成してなる二重床用支持脚を用いた二重床構造であって、
前記基板を、その裏面が床躯体の上面に当接されるように該床躯体に配置するとともに、前記天板の表面に床下地材を載置したものである。
【００１６】
また、本発明に係る二重床構造は、前記基板及び前記天板を平面形状がほぼ正方形となるようにかつ互いに同一寸法となるようにそれぞれ構成するとともに、前記基板及び前記天板を、それらの平面位置が互いに同一となるようにかつそれらの対角線が前記床下地材の短手縁部及び長手縁部とそれぞれ平行になるように前記床躯体に配置したものである。
【００１７】
また、本発明に係る二重床構造は、弾性材料からなるＬ形断面のスペーサーが根太本体の下面と側面に当接されるように貼着されてなる際根太を、前記スペーサーの側部が壁側となるように前記床躯体上であって前記床下地材が敷き並べられる室内領域の周縁相当位置に配置するとともに、前記際根太の上面に前記床下地材の縁部を載置したものである。
【００１８】
また、本発明に係る二重床構造の構築方法は請求項６に記載したように、基板と、該基板とほぼ平行に配置される天板と、弾性材料で構成され前記基板と前記天板との間に介装される脚部材とからなり、該脚部材を、基端側で前記天板の裏面に取付け自在な脚部本体とその先端側に設けられ前記基板の表面に当接されるようになっている凸部とで構成するとともに、該凸部を、その横断面積が前記脚部本体の横断面積よりも小さくなるように構成し、前記基板及び前記天板を平面形状がほぼ正方形となるようにかつ互いに同一寸法となるようにそれぞれ構成してなる二重床用支持脚を用いた二重床構造の構築方法であって、
配置予定の床下地材の短手縁部及び長手縁部と平面位置が一致するように、床躯体に２本の基準線を墨出しし、
前記二重床用支持脚を複数組で構成するとともに、該複数組の二重床用支持脚を構成する各基板を、それらの裏面が前記床躯体の上面に当接されるようにかつ該各基板の４つの隅部が前記２本の基準線にそれぞれ一致するように所定ピッチで該床躯体に釘留め又はビス留めでそれぞれ固定し、
前記各天板をそれらの裏面に前記脚部材がそれぞれ先付けされた状態で前記各凸部が前記各基板の表面にそれぞれ当接されるようにかつ平面位置が前記各基板と同一となるように該各基板上に配置し、
前記床下地材を、それらの短手縁部及び長手縁部が前記２本の基準線に一致するように前記各天板の表面に載置し、
前記床下地材に床仕上げ材を積層するものである。
【００１９】
第１の発明に係る二重床用支持脚においては、基板と天板との間に介装される脚部材を弾性材料で構成し、該脚部材を、基端側で天板の裏面に取付け自在な脚部本体とその先端側に設けられ基板の表面に当接されるようになっている凸部とで構成するとともに、該凸部を、その横断面積が脚部本体の横断面積よりも小さくなるように構成してある。
【００２０】
このようにすると、床衝撃荷重が天板を介して脚部材に伝達したとき、上述したように凸部の横断面積が脚部本体の横断面積よりも小さくて、該凸部には脚部本体よりも大きな弾性変形が生じるので、比較的小さな床衝撃荷重に起因する振動は、主として凸部によって吸収され、あるいは下方への伝播が絶縁される。
【００２１】
すなわち、脚部本体の剛性が相対的に大きくて振動吸収や振動絶縁が難しい床衝撃荷重であっても、上述の凸部がその振動を吸収絶縁し、かくして軽量衝撃源に対する遮音性が確実に発揮される。
【００２２】
なお、比較的大きな床衝撃荷重に起因する振動については、主として脚部本体によって一定程度の吸収絶縁が見込まれる。
【００２３】
天板は、床下地材を載置可能であって、該床下地材を介して作用する床荷重を脚部材に伝達できる限り、その材質や形状は任意であるし、基板は、天板及びその裏面に先付けされた脚部材を床躯体に配置する際の位置決め手段として機能しなおかつ脚部材を介して作用する床荷重を床躯体に伝達できる限り、同じくその材質や形状は任意である。
【００２４】
脚部材は、上述したように構成される限り、その具体的形態は任意であるが、前記脚部本体を円柱状に構成してその一方の側を前記基端側、他方の側を前記先端側とし、該基端側に前記天板に設けられた取付け孔に嵌着される差込部を突設するとともに、該先端側に凸面が球冠状に形成された突起を設けて前記凸部とした構成が典型例となる。
【００２５】
また、脚部材の天板への取付け場所も任意であるが、天板を矩形（正方形を含む）に構成するとともに該天板の４つの隅部近傍にそれぞれ取り付ける構成が典型例となる。
【００２６】
第２の発明に係る二重床構造においては、上述したように、軽量衝撃源に対する遮音性が確実に発揮されるほか、前記基板及び前記天板を平面形状がほぼ正方形となるようにかつ互いに同一寸法となるようにそれぞれ構成するとともに、前記基板及び前記天板を、それらの平面位置が互いに同一となるようにかつそれらの対角線が前記床下地材の短手縁部及び長手縁部とそれぞれ平行になるように前記床躯体に配置した構成を採用することが可能である。
【００２７】
かかる構成によれば、天板に載る床下地材の掛かり寸法が、床下地材の一方の側で対角線長さの２分の１、両側で対角線長さとなって、床下地材の支持スパンは、その全長あるいは全幅から基板や天板の対角線長さを差し引いた寸法となる。
【００２８】
したがって、床下地材の支持スパンは、基板や天板の各縁部が床下地材の短手縁部及び長手縁部とそれぞれ平行になるようにそれらを床躯体に配置する形態に比べてより短くなり、かくして床下地材の撓み量が抑制され、該床下地材の強度に余裕が生じるほか、歩行快適性も向上する。
【００２９】
床躯体は、木質系材料で構成されたものが典型例となるが、石こうボード等で構成される場合も包摂される。
【００３０】
ここで、弾性材料からなるＬ形断面のスペーサーが根太本体の下面と側面に当接されるように貼着されてなる際根太を、前記スペーサーの側部が壁側となるように前記床躯体上であって前記床下地材が敷き並べられる室内領域の周縁相当位置に配置するとともに、前記際根太の上面に前記床下地材の縁部を載置したならば、スペーサーによる振動吸収作用及び振動絶縁作用によってさらなる遮音性の向上を図ることができる。
【００３１】
第３の発明に係る二重床構造の構築方法においては、まず、配置予定の床下地材の短手縁部及び長手縁部と平面位置が一致するように、床躯体に２本の基準線を墨出しする。
【００３２】
次に、複数組の二重床用支持脚を構成する各基板を、それらの裏面が床躯体の上面に当接されるようにかつ該各基板の４つの隅部が２本の基準線にそれぞれ一致するように所定ピッチで該床躯体に釘留め又はビス留めでそれぞれ固定する。
【００３３】
次に、各天板をそれらの裏面に脚部材がそれぞれ先付けされた状態で上述の各凸部が各基板の表面にそれぞれ当接されるように、かつ平面位置が各基板と同一となるように該各基板上に配置する。
【００３４】
次に、床下地材を、それらの短手縁部及び長手縁部が上述した２本の基準線に一致するように各天板の表面に載置し、しかる後、床下地材に床仕上げ材を積層する。
【００３５】
このようにすると、基板を床躯体に配置する際、基板自体に墨出しせずとも、床躯体に対する基板の位置を容易に決定することができるとともに、脚部材や天板についても、基板と同様、床躯体に対して容易に位置決めすることが可能となる。
【図面の簡単な説明】
【００３６】
【図１】本実施形態に係る二重床用支持脚の斜視図であり、(a)は分解斜視図、(b)は使用状態で示した斜視図。
【図２】本実施形態に係る二重床構造を示した斜視図。
【図３】同じく本実施形態に係る二重床構造を示した図であり、(a)は鉛直断面図、(b)はＡ−Ａ線方向に見上げた矢視図。
【図４】本実施形態に係る二重床構造を二重床用支持脚の配置状況として示した全体平面図。
【図５】脚部材を示した図であり、(a)は使用される姿勢で示した斜視図、(b)は(a)を逆向きに見たときの斜視図、(c)は側面図。
【図６】本実施形態に係る二重床構造の構築方法を実施する手順を示したものであって、基板を床躯体に設置する様子を示した斜視図。
【図７】引き続き上記二重床構造の構築方法を実施する手順を示したものであって、脚部材が裏面に先付けされた状態の天板を基板の上に配置する様子を示した斜視図。
【図８】引き続き上記二重床構造の構築方法を実施する手順を示したものであって、天板の上に床下地材を載置する様子を示した斜視図。
【図９】変形例に係る二重床構造を示した全体平面図。
【図１０】上記変形例の詳細を示した図であり、(a)はＢ−Ｂ線に沿う鉛直断面図、(b)はＬ形断面のスペーサーが下面と側面に当接されるように貼着された際根太を示した斜視図。
【図１１】軽量衝撃源に対する遮音特性の計測結果を示したグラフ。
【発明を実施するための形態】
【００３７】
以下、本発明に係る二重床用支持脚及びそれを用いた二重床構造並びにその構築方法の実施の形態について、添付図面を参照して説明する。
【００３８】
図１は、本実施形態に係る二重床用支持脚１を示した斜視図である。同図に示すように、二重床用支持脚１は、基板２と、該基板とほぼ平行に離間配置される天板３と、基板２と天板３との間に介装される４つの脚部材４とから構成してあり、該二重床用支持脚を用いて構成した本実施形態に係る二重床構造１１は、図２及び図３に示すように、二重床用支持脚１の基板２を、その裏面１２が木質系材料で構成された床躯体１３の上面に当接されるように該床躯体に配置するとともに、天板３の表面１４に床下地材１５を載置して構成してある。
【００３９】
床躯体１３は、９１０ｍｍのピッチで配置されたあらわし梁である床梁１６の上に配置してあり、例えば化粧用を兼ねる厚さ２４ｍｍの構造用合板の上に１２．５ｍｍ厚の石こうボードを積層して構成することができる。
【００４０】
ここで、上述した二重床用支持脚１は図１乃至図３でわかる通り、基板２及び天板３を、平面形状が正方形となるようにかつ互いに同一寸法となるようにそれぞれ構成してあるとともに、それらの平面位置が互いに同一となるように床躯体１３に配置してあり、具体的には、例えば厚さ９ｍｍのパーティクルボードを２２５ｍｍ角の正方形に成形して基板２を構成し、厚さ２０ｍｍのパーティクルボードを同じく２２５ｍｍ角の正方形に成形して天板３を構成することができる。
【００４１】
また、二重床用支持脚１は図２及び図３でわかる通り、床梁１６の直上位置となるよう配置してあるとともに、基板２及び天板３の対角線が床下地材１５の短手縁部及び長手縁部とそれぞれ平行になるように、換言すれば、正方形をなす基板２及び天板３の各辺が、床下地材１５の短手縁部及び長手縁部と平行になる状態から鉛直軸線廻りに４５゜回転させた姿勢（以下、４５゜回転姿勢と呼び、各辺が床下地材１５の短手縁部及び長手縁部と平行になる標準姿勢と区別する）となるように床躯体１３に配置してあり、天板３の表面１４を２本の対角線で分割した４つの直角三角形領域に４枚の床下地材１５の各隅部がそれぞれ載置される支持形態となっている。
【００４２】
図４は、二重床用支持脚１の平面配置図であり、同図でわかる通り、二重床用支持脚１は、床梁１６のピッチ９１０ｍｍに合わせて、水平二方向に９１０ｍｍピッチで配置してあり、床下地材１５は、４つの隅部と長手側縁部中央の計６ヶ所で二重床用支持脚１の天板３に載置されるよう、９１０ｍｍ×１，８２０ｍｍの長方形に成形してある。なお、床下地材１５についても、厚さ２４ｍｍの構造用合板を用いて構成すればよい。
【００４３】
脚部材４は図５に示すように、円柱状の脚部本体５１の先端側に凸面が球冠状に形成された凸部としての突起５２を複数、本実施形態では７個設けて構成してあり、図１に示したように基板２の表面７に当接されるようになっている。
【００４４】
一方、脚部本体５１の基端側には、該脚部本体と同芯状となる円柱状の差込部５３を突設してあり、該差込部を、図１に示すように天板３に設けられた取付け孔６に嵌着することにより、脚部本体５１をその基端側で天板３の裏面５に取り付けることができるようになっている。
【００４５】
脚部材４は、脚部本体５１の外径を４０ｍｍ、高さを１４ｍｍ程度、突起５２の高さを２ｍｍ程度とし、全体を、弾性材料である合成ゴム、例えば硬度６０の合成ゴムで構成することができる。
【００４６】
ここで、７つの突起５２は図５でわかる通り、それらの合計横断面積が脚部本体５１の横断面積よりも小さくなるように構成してある。
【００４７】
本実施形態に係る二重床用支持脚１においては上述したように、基板２と天板３との間に介装される脚部材４を弾性材料である合成ゴムで構成し、該脚部材を、基端側で天板３の裏面５に取付け自在な脚部本体５１とその先端側に設けられ基板２の表面７に当接されるようになっている突起５２とで構成するとともに、該突起を、その横断面積が脚部本体５１の横断面積よりも小さくなるように構成してある。
【００４８】
このようにすると、床衝撃荷重が天板３を介して脚部材４に伝達したとき、上述したように突起５２の横断面積が脚部本体５１の横断面積よりも小さくて、該突起には脚部本体５１よりも大きな弾性変形が生じるので、比較的小さな床衝撃荷重に起因する振動は、主として突起５２によって吸収され、あるいは下方への伝播が絶縁される。
【００４９】
なお、比較的大きな床衝撃荷重に起因する振動については、主として脚部本体５１によって一定程度の吸収絶縁が見込まれる。
【００５０】
また、本実施形態に係る二重床構造１１においては上述したように、基板２及び天板３を、平面形状がほぼ正方形となるようにかつ互いに同一寸法となるようにそれぞれ構成するとともに、それらの平面位置が互いに同一となるようにかつそれらの対角線が床下地材１５の短手縁部及び長手縁部とそれぞれ平行になるように床躯体１３に配置してある。
【００５１】
このようにすると、天板３に載る床下地材１５の掛かり寸法が、床下地材１５の一方の側で対角線長さの２分の１、両側で対角線長さとなって、床下地材１５の支持スパンは、その全長あるいは全幅から基板２や天板３の対角線長さを差し引いた寸法、本実施形態では、
９１０ｍｍ−２２５ｍｍ・√２
≒５９２ｍｍ
となる。ちなみに、本実施形態のような４５゜回転姿勢ではなく、標準姿勢で設置する形態では、各辺の長さが差し引かれるだけなので、床下地材１５の支持スパンは、
９１０ｍｍ−２２５ｍｍ
≒６８５ｍｍ
となり、本実施形態の支持スパンの方が約１５％短くなる。
【００５２】
本実施形態に係る二重床構造１１を構築するには、まず図６に示すように、配置予定の床下地材１５の短手縁部及び長手縁部と平面位置が一致するように、床躯体１３に２本の基準線６１，６１を墨出しする。
【００５３】
次に、二重床用支持脚１を構成する各基板２を、それらの裏面１２が床躯体１３の上面に当接されるようにかつ該各基板の４つの隅部が２本の基準線６１，６１にそれぞれ一致するように、該床躯体に釘６２で固定する。
【００５４】
基板２は、例えば図４に示すように９１０ｍｍピッチで配置すればよい。
【００５５】
次に、天板３の裏面５に脚部材４を先付けし、しかる後、天板３を、図７に示すように、脚部材４の突起５２が基板２の表面に当接されるように、かつ平面位置が基板２と同一となるように、各基板２上にそれぞれ配置する。
【００５６】
このようにして二重床用支持脚１の設置を完了したならば、床下地材１５を敷設する前に、二重床用支持脚１が設置されていない空間に配管あるいは配線を施すとともに、グラスウール等の断熱材を適宜充填する。
【００５７】
次に、図８に示すように、床下地材１５を、それらの短手縁部及び長手縁部が上述した２本の基準線６１，６１に一致するように、各天板３の表面１４に載置して該天板にビス留めする。
【００５８】
ビス留めは、床下地材１５の周縁のうち、室内領域の周縁となる縁部を壁から例えば数ｍｍ程度離間させた状態で行うことで、床下地材１５の撓みや振動が壁に伝達しないようにするのが望ましい。
【００５９】
最後に、床下地材１５に床仕上げ材１７（図３参照）を積層する。
【００６０】
以上説明したように、本実施形態に係る二重床用支持脚１によれば、突起５２の横断面積が脚部本体５１の横断面積よりも小さくて、該突起には脚部本体５１よりも大きな弾性変形が生じるため、比較的小さな床衝撃荷重に対しても、その振動は突起５２によって吸収され、あるいは下方への伝播が絶縁される。
【００６１】
そのため、脚部材４を構成する脚部本体５１の剛性が相対的に大きくて振動吸収あるいは振動絶縁が難しい床衝撃荷重であっても、突起５２がその振動を吸収絶縁することとなり、かくして軽量衝撃源に対する遮音性が確実に発揮される。
【００６２】
また、本実施形態に係る二重床用支持脚１によれば、本発明の凸部を、凸面が球冠状に形成された突起５２で構成したので、基板２との当接面に近くなるほど横断面積が小さくなって弾性変形しやすくなり、軽量衝撃源に対する遮音性がさらに向上する。
【００６３】
また、本実施形態に係る二重床構造１１によれば、床下地材１５の支持スパンは、その全長あるいは全幅から基板２や天板３の対角線長さを差し引いた寸法となるため、標準姿勢で設置する形態に比べてより短くなり、かくして床下地材１５の撓み量が抑制され、該床下地材の強度に余裕が生じるほか、歩行快適性も向上する。
【００６４】
また、本実施形態に係る二重床構造の構築方法によれば、基板２を床躯体１３に配置する際、基板２自体に墨出しせずとも、床躯体１３に対する基板２の位置を容易に決定することができるとともに、脚部材４や天板３についても、基板２と同様、床躯体１３に対して容易に位置決めすることが可能となる。
【００６５】
本実施形態では、本発明の脚部材を、円柱状の脚部本体５１の先端側に凸面が球冠状に形成された凸部としての突起５２を複数設けて構成したが、本発明の凸部は、その横断面積が脚部本体の横断面積よりも小さくなるように構成することにより、脚部本体よりも大きな弾性変形が生じるように構成されていれば足りるものであって、球冠状に形成された突起５２に代えて、円柱状突起としてもかまわないし、その個数ももちろん７個に限定されるものではない。また、脚部本体についても、その形状は任意であって、円柱状に代えて、例えば角柱状とすることも可能である。
【００６６】
さらには、脚部本体５１を、その基端側に差込部５３を突設して該差込部を天板３に設けられた取付け孔６に嵌着できるようにしたが、本発明の脚部本体は、その基端側で天板の裏面に取り付けることができる限り、着脱自在である必要はないし、例えば差込部を省略した上、基端側の端面全体を天板の裏面に予め接着した構成としてもかまわない。
【００６７】
また、本実施形態では、二重床用支持脚１を、基板２及び天板３の対角線が床下地材１５の短手縁部及び長手縁部とそれぞれ平行になるように床躯体１３に配置したが、本発明に係る二重床構造は、かかる配置形態に限定されるものではなく、上記４５゜回転姿勢に代えて、標準姿勢で二重床用支持脚１を床躯体１３に配置するようにしてもかまわない。
【００６８】
この変形例においては、支持スパンに関する作用効果は発揮されないが、軽量衝撃源に対する遮音性が改善する基本的な作用効果については、上述の実施形態と何ら変わりはない。
【００６９】
また、本実施形態では特に言及しなかったが、床下地材１５が敷き並べられる室内領域の周縁相当位置には、図９に示すように二重床用支持脚１を配置することができないが、通常の際根太ではなく、図１０でよくわかるように根太本体９１の下面と側面に当接されるように弾性材料からなるＬ形断面のスペーサー９２が貼着されてなる際根太９３を、スペーサー９２の側部が壁側となるように床躯体１３上であって上述の周縁相当位置に配置した上、該際根太の上面に床下地材１５の縁部を載せる構成を採用することが可能である。
【００７０】
根太本体９１は、例えば幅３０ｍｍ、高さ４０ｍｍの矩形断面とし、スペーサー９２は、例えば幅３０ｍｍ、高さ４０ｍｍ、厚さ５ｍｍのＬ形断面となるように構成した上、根太本体９１の材軸に沿って４５ｃｍピッチで貼着すればよい。
【００７１】
かかる構成によれば、スペーサー９２による振動吸収作用及び振動絶縁作用によってさらなる遮音性の向上を図ることができる。
【００７２】
図１１は、上述の実施形態の内容に沿って構築された二重床構造（床梁は１０５ｍｍ×３３０ｍｍ）を試験体とし、該試験体に対して加振源をタッピングマシンとした軽量衝撃源に対する遮音特性を計測し、その結果を描いたグラフであり、比較例として、スペーサー９２を省略して根太本体９１を際根太としたものと、さらに脚部本体５１の先端に突起５２を設けない脚部材を用いたものの二例を併せて示した。
【００７３】
同グラフでわかるように、突起５２を省略した比較例と、突起５２を設けた比較例とを比較すると（際根太はいずれも根太本体９１で構成）、突起５２を設けた比較例では、２５０Ｈｚ以上の帯域、特に高周波数帯で床衝撃音レベルが大きく下がっており、軽量衝撃源に対する遮音性が改善されていることがわかる。
【００７４】
また、際根太を根太本体９１で構成した比較例と、際根太を際根太９３とした本実施形態に係る構成とを比べると（いずれも突起５２が設置）、本実施形態の二重床構造では、ほぼ全帯域で遮音性が改善されていることがわかる。
【００７５】
また、本実施形態では、脚部材を合成ゴムで形成するようにしたが、これに代えて、天然ゴムで形成するようにしてもかまわない。
【符号の説明】
【００７６】
１          二重床用支持脚
２          基板
３          天板
４          脚部材
５          天板の裏面
６          取付け孔
７          基板の表面
１１          二重床構造
１２          基板の裏面
１３          床躯体
１４          天板の表面
１５          床下地材
１６          床梁
５１          脚部本体
５２          突起（凸部）
５３          差込部
６１          基準線
９１          根太本体
９２          スペーサー
９３          際根太
【図１】
2018017077.tif 000003
【図２】
2018017077.tif 000004
【図３】
2018017077.tif 000005
【図４】
2018017077.tif 000006
【図５】
2018017077.tif 000007
【図６】
2018017077.tif 000008
【図７】
2018017077.tif 000009
【図８】
2018017077.tif 000010
【図９】
2018017077.tif 000011
【図１０】
2018017077.tif 000012
【図１１】
2018017077.tif 000013